(57)【特許請求の範囲】
【請求項１】
容器であり、
側壁及び、該側壁と一体に形成される上部及び下部カバーと、
前記容器内の内容物を支持するための、上部カバー及び下部カバーに対し可動な支持板と、
前記容器の内容物と前記下部カバーとの間に存在している真空をなくすために前記支持板に取り付けられ、少なくとも一部がフレキシブルである中空チューブとを備えることを特徴とする容器。
【請求項２】
容器であり、
側壁及び、該側壁と一体に形成される上部及び下部カバーと、
前記容器内の内容物を支持するための、上部カバー及び下部カバーに対し可動な支持板と、
前記支持板に取り付けられ、前記支持板から実質上、前記上部カバーまで延びており、前記上部カバーに取り外し可能に接続された上端を有する連結材とを備えることを特徴とする容器。
【請求項３】
請求項２において、前記連結材はフレキシブルであることを特徴とする容器。
【請求項４】
請求項２において、前記連結材はワイヤ、線材、糸、中空チューブ及び支柱のいずれか一つであることを特徴とする容器。
【請求項５】
請求項１において、前記中空チューブは、前記支持板から実質上、前記上部カバーまで延びていることを特徴とする容器。
【請求項６】
請求項１〜５のいずれか１項において、前記支持板は薄平板であることを特徴とする容器。
【請求項７】
請求項１〜６のいずれか１項において、前記支持板は容器の底部に前記支持板を介して液体を排出させる開口部を有することを特徴とする容器。
【請求項８】
請求項１において、前記中空チューブは指入り手段を含む上部を備えることを特徴とする容器。
【請求項９】
請求項２において、前記連結材は指入り手段を含む上部を備えることを特徴とする容器。
【請求項１０】
請求項８または９のいずれかにおいて、前記指入り手段は前記容器の上部カバーに固定されていることを特徴とする容器。
【請求項１１】
請求項８〜10のいずれか１項において、前記上部カバーは前記指入り手段と取り外し可能に係合する手段を含むことを特徴とする容器。
【請求項１２】
請求項11において、前記指入り手段と取り外し可能に係合する手段は、前記容器の上部カバーに取り付けられていることを特徴とする容器。
【請求項１３】
請求項２において、前記連結材は容器の内容物を介して空気を流通するための空気流路を形成し、前記連結材が容器から引き上げられると前記連結材及び前記支持板の孔を介して容器の外部から空気が流れて、容器の下部カバーと容器の内容物との間に存在する真空をなくすことができることを特徴とする容器。
【発明の詳細な説明】
技術分野
本発明は、容器の内容物取出し集合体に係り、特に容器の内容物を容易に取出す手段を有する改良された容器の内容物の取出し装置に関する。
背景技術
従来から、犬猫用のペットフードを含む缶入り肉やトマトペーストなどのごとき粘稠性を有する食品は、容器から取出しにくいことがよく知られた問題である。このような食品は、いったん容器をあけるとスプーン等の道具を使って内容物をすくい出す必要がある。上記の代替としては、食品と容器側部との密封、粘着状態をほぐすために食品の側部の周りにナイフを用いて切れ目を入れる必要がある。その他の食品取出し方法は、内容物を完全に押出すために容器の上下端を開放してから容器を横切って下部縁部を押出す方法である。同様の問題は、パテや速乾性ペーストなどの非食品容器においても知られている。
また、普通、食品は内容物の一部だけしか使用しないことも知られている。従って、内容物の一部を取出す過程において容器の両端を開放するなど容器を破損させるのは好ましくない。
本発明は、このような従来の容器の欠点を解消して使用の容易な改良された容器の構造を提供することを目的としている。
本発明は、組立てが容易である内容物取出し集合体を有する改良された容器の内容物の取出し装置の構造を提供することを目的としている。
本発明の、製作が安価である内容物取出し集合体を有する改良された容器の内容物取出し装置の構造を提供することを目的としている。
本発明は、信頼しうる内容物取出し集合体を有する改良された容器の内容物の取出し装置の構造を提供することを目的としている。
本発明は、容器の底部において無駄な残留の発生を回避しうる内容物取出し集合体を有する改良された容器の内容物の取出し装置の構造を提供することを目的としている。
本発明の目的については、添付図面の説明から明らかである。
発明の開示
本発明は、容器の下部で下部支持板に取付けられ実質上、容器の上部カバーにまで述びている連結材を用いて構成されている容器の内容物の取出し装置であり、犬猫用ペットフードなど内容物または他類似の粘稠性を有する材料が、連結材が周囲を囲み下部支持板を覆っている。前記連結材は、その一端を容器の内容物の上面から突出した指入れハンドルに取付られる。次いで容器は慣用された方法によって密封される。内容物の取出しを希望する場合、容器の上部カバーを慣用された方法によって取除いてから内容物の上面に延びる連結材を引上げ、下部支持板およびその上に収納されている内容物が取出される。取出しを希望する容器の内容物の分量は、皿などの別の容器に切分け、あるいはすくい入れが行われる。
本発明の好適な実施例において、連結材は、糸、線材、中空フレキシブルチューブなどたわみ性を有しており、容器の内容物の一部より取出されない場合には残部の内容物の上に残留する可能性がある。次いで容器をプラスチックカバーなどよく慣用されている典型的なカバーで覆い、将来の使用に備えて保存することも可能である。後日、改めて内容物の取出しを希望する場合は、たわみ性の連結材を把持して再度引上げて容器内の残部の内容物を取出すことになる。
【図面の簡単な説明】
第１図は本発明にかかる好適な実施例の内容物取出し集合体を含む円筒状容器の内容物の取出し装置の側面図、
第２図は本発明の内容物取出し集合体の下部支持板の下部平面図、
第３図は本発明の内容物取出し集合体の下部支持板の他の実施例の下部平面図、
第４図は内容物取出し集合体の他の実施例における下部支持板の周囲に上向き縁部を有する容器の側面図、
第５図は本発明の内容物取出し集合体の透視図、
第６図は下部支持板に連結材を接続する手段を示す本発明の内容物取出し集合体の透視図、
第７図は容器の上部カバーに設けた本発明の内容物取出し集合体を含む円筒状容器の内容物の取出し装置の側面図、
第８図は上部カバーにリベットで固定された外側開口タブを備えたポップトップ取出し式のカバーを有する容器の内容物の取出し装置の上面図、
第９図は上部カバーのリベット底部に連結された指入れハンドルを備えた、図８の上部カバーの下面図、
第10図は指入れハンドル用のフック延長部を有する第８図の上部カバーの下面図である。
発明を実施するための最良の形態
第１図乃至第10図において、容器の内容物取出し集合体は一般に符号10として参照される。ドッグフード容器などのごとき容器20では、連結材30は容器20の下部カバー24の上方にある薄平板からなる下部支持板40に取付けられるように構成され、実質的には容器20の上部カバー22まで延びている。連結材30は、プラスチック、ゴム、金属などの弾性材料よりなっている。連結材は線材または糸、中空フレキシブルチューブまたは固体支柱とすることが可能である。連結材30の一端は下部支持板40に取付けられ、他端は指入れハンドル50と固定されている。指入れハンドル50は連結材30と同じ材料にて製作されるか、若しくは、缶入り食品に適した金属やプラスチックなどの無毒性または非腐食性の材料にて製作されてもよい。
下部支持板40は、指入れハンドル50が引張られる場合に容器内容物を支持できる剛性材料にて製作されている。下部支持板40は、使用する容器の形状に適合するような形状に形成することができる。第２図に示すように、円筒状の容器20内にて使用する下部支持板40は円形状であり、容器20の形状に適合している。下部支持板40の直径は、容器20の直径よりも若干小さくされているので、容器20内部にて容易に滑動して適合するようにされている。容器20から下部支持板40を引上げる場合に、容器20の内容物からの凡ゆる液体を排出できるように、下部支持板40に開口部42を有している。上記開口部42は、第２図に示すように円形開口でもよいし長く延びたスロットなど他の形状に形成することができる。上記スロット構造では開口部42は、容器の内容物が内部にて滑り落ちない適度な大きさを有している。下部支持板40はまた中央孔45を有しており、該孔を貫通して連結材30を通すことができ、第６図に示すように中央孔45より大きい直径を有するストッパー46に固着させている。ストッパー46は下部支持板40の下部に位置し、連結材30を引上げた時に下部支持板40との取付手段として作用する。
本発明の他の実施例において、下側支持板40は円形の代替として第３図に示すように羽根状の複数の側部延長子44からなる。羽根状の側部延長子44は、容器20の内容物が缶入り肉など粘稠性を有する場合に使用することができる。缶入り肉は相互に付着して容器20内側の形状を保持することとなるので、第２図に示すように円形状の下部支持板40を有する必要はなくなる。第３図に示す下部支持板40は、容器20から缶入り肉を排出するように適合されている。すなわち、容器20の側壁を形成する部材と、前記側壁の上部および下部端と一体に形成された上部カバー22および下部カバー24と、この上部および下部カバーに対して可動である下部支持板40と、この下部支持板に取付けられた連結材30は前記下部支持板40から実質上、前記上部カバー22まで延びており、前記連結材30は前記下部支持板40の直径に沿った一点に接続された複数の羽根状の側部延長子44からなるパン（受け皿）を有する構成となっている。
第４図に示すように下部支持板40は、その周囲に容器20から下部支持板40を引上げる際、容器20の内容物が容器20の底部または側部に残留することを回避させるために容器20の内部で、側部を掻上げるために上向き縁部48を設けることができる。
本発明の他の一実施例として、第７図に示すように連結材30を中空フレキシブルチューブとし、上記チューブの長さは下部支持板40および容器20の上部カバー22間の距離よりもかなり長い距離を有するようにし、第７図に示すように指入りハンドル50と下部支持板40との連結を緩和させることが可能である。
指入れハンドルが引上げられると、連結材30の緩みを除去するように連結材30が引上げられる。緩みが除去されると中空フレキシブルチューブである連結材30は容器20の内容物全体を空気流路が形成されることになる。空気流路の形成は空気が容器20の外部から連結材30を介して流れ、中央孔45を介して下部支持板40の下方の空間Ｓと連通される。上記空間Ｓにおいては、容器20の内容物の底部と容器20の下部カバー24と下部の間に真空が存在し、容器の内容物を引出して容器から除去されないように保持するように作用する。容器内の真空は、空間Ｓへの連結材30を介した空気の流通によって解除される。その結果、容器20の内容物は、下部支持板40の引上げにより容易に取出すことができる。取出しを希望する内容物の量は、下部支持板40によりいったん容器20の内容物を引上げてからペットフード用の食事皿など別の容器に切出し、またはすくい出しをする。
他の一実施例として、中空フレキシブルチューブの代替として糸または線材からなる連結材30によって、容器20の内容物を介して空気流路が形成される。連結材30の糸またはワイヤが引上げられると、容器20の内容物の中に空気流路が形成されるので、空気は容器20の外部から空気流路および下部支持板40の中央孔45を介して流入し、容器20の内容物と容器20の下部カバー24の間にある真空が解除される。
指入れハンドル50は出荷時あるいは容器の裏返しにより、内容物の上面に沈み込む可能性があるので、第７図に示すように容器20の上部カバー22の内側に設けたリング52によって取外し可能に取付けるようにしてもよい。容器20の上部カバー22を取外すと、容器20の内容物から指入れハンドル50が引上げられる。次いで使用者は、リング52から指入れハンドル50を取外して引出し、あるいは下部支持板40およびその上部に置かれた食品を容器20から引上げるために上部カバー22を引上げ続けるとよい。
第８図乃至第10図において、「ポップトップ」取出し式の上部カバー22を有する容器内で上部カバー22を押しあけ、次いでこれを引き戻すのに使用する外側の開口タブＴは、通常、上部カバー22にリベット止めされている。上部カバー22を貫通して上部カバー22の内部表面21に固着するリベットＲ部分は、上部カバー22が引き戻される際に連結材30も引かれるように、指入れハンドル50に固着することもできる。上部カバー22がいったん容器20から切離されると容器の内容物を取出すことができる。
代替として第10図に示すように、いったん「ポップトップ」取出し式の容器の上部カバー22が除去されると、指入れハンドル50を把持できるように、リベットＲの一部分60が内部表面21へ延びているフック部材62を有する形態とすることも可能である。フック部材62は使用者が指先を使わずに指入れハンドル50を把持できるようにしたものである。
本発明の容器の内容物取出し集合体10は、組立中に、容器20が保存すべき内容物で充填される時点において容器20内部に挿入される。すでにフレキシブルな連結材30と取付けられている下部支持板40は、ちょうど容器20の底部に来るように挿入される。次いでペットフード、トマトペースト、その他非食品材料などの容器20の内容物が容器20内に注入され、連結材30の周囲を取巻いて下部支持板40の表面32を覆う。第７図に示すように連結材30が中空フレキシブルチューブである場合には、その指入れハンドル50と下部支持板40との間の緩みを維持するため、完全に伸びきらないように容器の内容物内に配置されている。次いで容器の内容物の上面から突出するように、または上述の上部カバー22に固着し得るように指入れハンドル50を入れる。容器20は慣用された手段により密封される。
容器20の内容物の取出しが望ましい場合は、慣用された方法によって上部カバー22は取外され、内容物の上層の上に延びる連結材30は手によって引上げられ、もしくは上部カバー22に取付けられた場合には上部カバー22が引上げられ、かくして下部支持板40と下部支持板40上に収納された容器20の内容物は引上げられる。
上記実施例は例示に過ぎず、本発明を限定するものではない。本発明の真の精神から離れない、すなわち要旨を変更しない種々の変形が可能である。
例えば、容器20は円筒形の代替として、楕円形、長方形、正方形とすることも可能である。本発明による内容物の取出し集合体10は、容器20の形状に適合して形成させることができる。食品用の容器20は、プラスチック、コート紙、その他適切な材料を使用することができる。
産業上の利用可能性
以上のように、本発明にかかる容器の内容物の取出し装置は、ペットフードを含む缶入り肉やトマトペーストなどのごとき粘稠性を有する食品などからなる容器の内容物を容器から容易に取出すことができる。前記内容物の取出し装置は、組立てが容易であり、製作も安価にできる取出し集合体からなり、容器の形状に適合して種々の構造に形成させることができる。下部支持板と収納された容器の内容物との間には真空状態が形成されて内容物が保持されているが、前記取出し集合体の連結材の引上げにより真空状態を解除できて、内容物を容器から容器に取出すことができる。
【図２】
0003587850.tif 000002
【図３】
0003587850.tif 000003
【図１】
0003587850.tif 000004
【図４】
0003587850.tif 000005
【図５】
0003587850.tif 000006
【図６】
0003587850.tif 000007
【図７】
0003587850.tif 000008
【図８】
0003587850.tif 000009
【図９】
0003587850.tif 000010
【図１０】
0003587850.tif 000011